(57)【要約】【課題】  通信システムにおいて、ネットワークとの間で、二重化機能付装置を有していない情報端末を冗長化することができる通信システムを提供することを目的とする。【解決手段】  同報通信装置１は、ネットワーク２に接続され、ネットワーク２から受信した信号を同報送信部６により同報送信し、ＭＡＣ保持部７に保持する複数のデータ制御装置４ａ、４ｂに割り当てられた各ＭＡＣアドレスを、ＭＡＣ付加部８ａ、８ｂにより同報送信された信号に付加して、複数のデータ制御装置４ａ、４ｂに送信する。切替制御部９は、複数のデータ制御装置４ａ、４ｂで制御され送信された信号の送信状態に基づいて、受信選択部１０により一つの信号を選択し、ＭＡＣ変換部１１によりＭＡＣアドレスを変換してネットワーク２に信号を送出する。【選択図】        図１
2009033515.tif 000002
【特許請求の範囲】
【請求項１】
ネットワークに接続され、このネットワークを介して受信した信号を同報送信する同報送信部と、
外部の複数のデータ制御装置に割り当てられた各ＭＡＣアドレスを保持するＭＡＣ保持部と、
前記同報送信部から同報送信された信号に、前記ＭＡＣ保持部で保持する前記各ＭＡＣアドレスを付加して前記複数のデータ制御装置へ送信するＭＡＣ付加部と、
前記複数のデータ制御装置からの前記同報送信された信号の受信状態に基づいて、前記同報送信された信号のうちのいずれか一つを選択する選択部とを備えた通信システム。
【請求項２】
選択部で選択された信号に付加されている前記ＭＡＣアドレスを変換して、前記選択部で選択された信号をネットワークに送出するＭＡＣ変換部をさらに備えたことを特徴とする請求項１に記載の通信システム。
【請求項３】
選択部は、予め設定される優先順位に基づいて、複数のデータ制御装置からの同報送信された信号のうちいずれか一つを選択することを特徴とする請求項１又は請求項２に記載の通信システム。
【発明の詳細な説明】
【技術分野】
【０００１】
本発明は、ネットワークに接続される通信システムに関し、特に冗長化機能を構成する通信システムに関するものである。
【背景技術】
【０００２】
図３は、従来の二重化機能を構成する通信システムの概略図である（例えば、特許文献１参照）。図３において、２はネットワークを示し、１３a、１３ｂは二重化機能を有した一対の装置で、１２は装置１３a、１３ｂの双方に接続された情報端末を示す。
【０００３】
二重化機能を有した一対の二重化機能付装置１３a、１３ｂがネットワーク２に接続されて、この二重化機能付装置１３a、１３ｂのうち一方が情報端末１２に対し運用状態を示すオンラインとなる。また、他方の二重化機能付装置が情報端末１２に対し待機状態を示す待機状態を示すスタンバイとなる。
【０００４】
二重化機能付装置１３a、１３ｂは、ネットワーク２を介して互いに各々の装置情報を送受信し、装置情報を監視し合うことで二重化機能付装置１３a、１３ｂの状態をそれぞれオンラインとスタンバイに切り替えを行う。
【０００５】
【特許文献１】特開平１１−８８３５３号公報（００５７〜００６４段、図１）
【発明の開示】
【発明が解決しようとする課題】
【０００６】
しかしながら、上記のような従来の通信システムの場合、ネットワークに対して情報端末を冗長化する場合、装置情報を送受信し互いに監視することで、例えば、一方の二重化機能付装置に異常が発生したことを検知した場合に互いの装置の切り替えを行う機能を有する二重化機能付装置を用いなければならないという問題があった。
【０００７】
本発明は、上記のような問題を解決するためになされたものであり、通信システムにおいて、ネットワークとの間で、二重化機能付装置を有していない情報端末を冗長化することができる通信システムを提供することを目的とする。
【課題を解決するための手段】
【０００８】
本発明に係る通信システムは、ネットワークに接続され、ネットワークを介して受信した信号を同報送信する同報送信部と、外部の複数のデータ制御装置に割り当てられた各ＭＡＣアドレスを保持するＭＡＣ保持部と、同報送信部から同報送信された信号に、ＭＡＣ保持部で保持する各ＭＡＣアドレスを付加して複数のデータ制御装置へ送信するＭＡＣ付加部と、複数のデータ制御装置からの同報送信された信号の受信状態に基づいて、同報送信された信号のうちのいずれか一つを選択する選択部とを備えたものである。
【発明の効果】
【０００９】
本発明によれば、ネットワークとデータ制御装置の間においてＭＡＣ付加部によりＭＡＣアドレスを付加した信号を同報送信部を用いて同報送信することにより、二重化を持たない装置間での信号の切り替えを行うことで、二重化を持たない装置でも容易に二重化できる。
【発明を実施するための最良の形態】
【００１０】
以下、本発明に係る通信システムの各種実施の形態について、図面に基づいて説明する。
実施の形態
図１は、本発明に係る実施の形態の通信システムの構成を示すブロック図である。
【００１１】
図１において、１は同報機能、ＭＡＣ変換機能などを有する同報通信装置であり、ネットワーク２と伝送路３を介して信号を送受信する。４ａ、４ｂはそれぞれ二重化機能を持たないデータ制御装置（例えば、パケットベースのフィルタリング装置など）であり、伝送路５ａ、５ｂ、５ｃ、５ｄを介して同報通信装置１と信号の送受信を行う。
【００１２】
なお、伝送路５ａと５ｂ、および５ｃと５ｄはそれぞれ１対の伝送路である。データ制御装置４ａ、４ｂには情報端末等が接続される。
【００１３】
同報通信装置１の内部において、６は同報送信部であり、ネットワーク２から伝送路３を介して受信した信号をデータ制御装置４ａ、４ｂへ同報送信するためにネットワーク２より受信した信号をコピーして送信する機能を有する。７はＭＡＣ保持部であり、同報通信装置１の配下に接続されるデータ制御装置４ａ、４ｂのＭＡＣアドレスを保持する機能を有する。
【００１４】
８ａ、８ｂはＭＡＣ付加部であり、同報送信部６からの信号に同報通信装置１の配下のデータ制御装置４ａもしくは４ｂのＭＡＣアドレスを宛先ＭＡＣアドレスとして付加する。例えば、ＭＡＣ付加部８ａではデータ制御装置４ａのＭＡＣアドレスを付加し、ＭＡＣ付加部８ｂではデータ制御装置４ｂのＭＡＣアドレスを付加する。
【００１５】
９、１０はそれぞれ選択部としての切替制御部と受信選択部である。切替制御部９は、同報通信装置１に接続されたデータ制御装置４ａ、４ｂのうち一方のデータ制御装置を運用状態とし、他方のデータ制御装置を待機状態とするための切替制御の機能を有する。また、切替制御部９が切替を行う要因としては、例えば、データ制御装置４ａ、４ｂが送信した信号を伝送路５ａ、５ｃを介して同報通信装置１で受信する信号にてＦＣＳ（Ｆｒａｍｅ  Ｃｈｅｃｋ  Ｓｅｑｕｅｎｃｅ）エラーが発生した場合や、データ制御装置４ａ、４ｂおよび伝送路５ａ、５ｃからの信号を受信しなくなった場合に切り替えを行う。
【００１６】
受信選択部１０は、切替制御部９の判断に基づき、データ制御装置４ａ、４ｂから伝送路５ａ、５ｃを介して受信する信号のうち運用状態のデータ制御装置からの信号のみを選択する機能を有する。１１はＭＡＣ変換部であり、受信選択部１０にて選択された信号に含まれる送信元ＭＡＣアドレスを同報通信装置１もしくはデータ制御装置４ａ、４ｂのＭＡＣアドレスに変換する機能を有する。
【００１７】
次に、図２のフローチャートに従い、本実施の形態１における通信システムの信号授受および二重化切替の動作について説明する。まず、同報通信装置１において、ＭＡＣアドレス保持部７により同報通信装置１の配下に接続されたデータ制御装置４ａ、４ｂのＭＡＣアドレスを学習し、データ制御装置４ａ、４ｂのＭＡＣアドレスを保持する（Ｓ２０１）。
【００１８】
また、切替制御部９により、データ制御装置４ａ、４ｂのうち一方のデータ制御装置を運用系としてオンライン状態とし、他方のデータ制御装置を待機系としてスタンバイ状態とする（Ｓ２０２）。ここでは、運用系をデータ制御装置４ａとし、待機系をデータ制御装置４ｂとする。
【００１９】
続いて、同報送信部６により、ネットワーク２から伝送路３を介して受信した信号をコピーし、ＭＡＣ付加部８ａ、８ｂにそれぞれ同報送信する（Ｓ２０３）。
【００２０】
ＭＡＣ付加部８ａ、８ｂは、同報送信部６より同報送信された信号に宛先ＭＡＣアドレスとして、ＭＡＣ付加部の送信先に接続されているデータ制御装置４ａ、４ｂのＭＡＣアドレスを同報送信された信号に付加する（Ｓ２０４）。同報送信された信号は、伝送路５ｂ、５ｄを介してデータ制御装置４ａ、４ｂに対して送信され（Ｓ２０５）、データ制御装置４ａ、４ｂは、同報通信装置１から同じ信号を受信する。
【００２１】
データ制御装置４ａ、４ｂは、それぞれ伝送路５ａ、５ｃを介して同報通信装置１の受信選択部１０に信号を送信し（Ｓ２０６）、切替制御部９は受信選択部１０により運用系のデータ制御装置４ａからの信号か、待機系のデータ制御装置４ｂからの信号を選択する（Ｓ２０７）。
【００２２】
切替制御部９は、受信選択部１０により運用系のデータ制御装置４ａからの信号が受信され、信号に異常がなければ、運用系のデータ制御装置４ａからの信号のみ選択する（Ｓ２０８）。また、待機系のデータ制御装置４ｂからの信号は受信選択部１０にて廃棄を行う（Ｓ２０９）。
【００２３】
切替制御部９は、受信選択部１０において運用系のデータ制御装置４ａから送出される信号がＦＣＳエラーを検出したり、またデータ制御装置４ａからの信号を受信しなくなった場合に、切替制御部９は、運用系のデータ制御装置４ａもしくは伝送路５ａを異常と判断し、受信選択部１０により待機系であるデータ制御装置４ｂからの信号を選択する（Ｓ２１０）。
【００２４】
次いで、受信選択部１０は選択した信号をＭＡＣ変換部１１に送信し（Ｓ２１１）、ＭＡＣ変換部１１は信号の送信元ＭＡＣアドレスを、例えば同報通信装置１のＭＡＣアドレスに変換し（Ｓ２１２）、伝送路３を介して信号をネットワーク２に送出する（Ｓ２１３）。
【００２５】
以上のように、本実施の形態では、ネットワーク２とデータ制御装置４ａ、４ｂの間においてＭＡＣ付加部８ａ、８ｂによりＭＡＣアドレスを付加した信号を同報送信部６を用いて同報送信するようにしたので、二重化機能を持たないデータ制御装置でも容易に二重化させることができる。
【００２６】
なお、本実施の形態においては、冗長化するデータ制御装置の数が２台の場合について説明したが、データ制御装置が３台以上の場合についても適用できる。つまり、同報通信装置１においてＭＡＣ付加部８と伝送路５とをそれぞれ３個以上に増やし、切替制御部９において各データ制御装置の優先順位を設定する機能を備えることにより、冗長化する装置数を増やすことができ、さらにシステムの信頼性を向上させることが可能となる。
【図面の簡単な説明】
【００２７】
【図１】本発明に係る通信システムの実施の形態の構成を示すブロック図である。
【図２】本発明に係る通信システムの実施の形態の動作の流れを示すフローチャート図である。
【図３】従来の通信システムの構成を示すブロック図である。
【符号の説明】
【００２８】
２  ネットワーク
４、４ａ、４ｂ  データ制御装置
６  同報送信部
７  ＭＡＣ保持部
８、８ａ、８ｂ  ＭＡＣ付加部
９  切替制御部
１０  受信選択部
１１  ＭＡＣ変換部
【図１】
2009033515.tif 000003
【図２】
2009033515.tif 000004
【図３】
2009033515.tif 000005